(57)【要約】  二重化装置（１００）は、アンテナ・ポート（２１０）と送信ポート（２０８）と受信ポート（２０６）と平衡ポート（２１２）とを有するハイブリッド接合モジュール（２０４）を備える。本装置は、第１の送信周波数帯と第２の送信周波数帯とに関して応答するように構成されたフィードフォワード回路（２３０）をさらに備え、フィードフォワード回路（２３０）が、ハイブリッド接合モジュールの送信ポートに動作可能に結合された入力と出力とを有する。ハイブリッド接合（２０４）が、第１の送信周波数帯に関して送信ポート（２０８）から受信ポート（２０６）を実質的に分離するように、および第２の送信周波数帯に関して送信ポート（２０８）から受信ポート（２０６）を実質的に分離しないように構成される。フィードフォワード回路（２３０）は、第１の送信帯における信号周波数よりも第２の送信帯における信号周波数がフィードフォワード回路（２３０）を伝搬することを優先することにより、出力において補償信号を提供するようにさらに構成される。
2019519153.tif 000002
【特許請求の範囲】
【請求項１】
アンテナ・ポートと送信ポートと受信ポートと平衡ポートとを有するハイブリッド接合モジュールと、
第１の送信周波数帯と第２の送信周波数帯とに関して応答するように構成されたフィードフォワード回路であって、前記ハイブリッド接合モジュールの前記送信ポートに動作可能に結合された入力と、出力とを有する、フィードフォワード回路と、
を備え、
前記ハイブリッド接合モジュールが、前記第１の送信周波数帯に関して前記送信ポートから前記受信ポートを実質的に分離するように、および、前記第２の送信周波数帯に関して前記送信ポートから前記受信ポートを実質的に分離しないように構成され、
前記フィードフォワード回路は、前記第１の送信帯における信号周波数よりも前記第２の送信帯における信号周波数が前記フィードフォワード回路を伝搬することを優先することにより、前記出力において補償信号を提供するように構成された、
二重化装置。
【請求項２】
前記フィードフォワード回路が、前記送信周波数帯にわたるラジオ周波数フィルタ処理を提供するフィルタ構成を備える、
請求項１に記載の装置。
【請求項３】
前記フィルタが、ラジオ周波数ノッチ・フィルタ処理を提供する変換フィルタである、
請求項２に記載の装置。
【請求項４】
前記フィードフォワード回路が、ラジオ周波数からベースバンド周波数にダウン・コンバートするためのダウン・コンバーターを備える、
請求項１から請求項３のいずれか一項に記載の装置。
【請求項５】
請求項３に従属する場合において、前記変換フィルタが、前記ダウン・コンバーターを備える、
請求項４に記載の装置。
【請求項６】
前記変換フィルタが、
第１の高域通過フィルタをさらに備える、
請求項５に記載の装置。
【請求項７】
前記フィードフォワード回路が、
前記第１の高域通過フィルタに動作可能に結合された第２の高域通過フィルタをさらに備える、
請求項６に記載の装置。
【請求項８】
前記フィードフォワード回路が、
前記第２の高域通過フィルタに動作可能に結合されたプログラム可能利得回路をさらに備える、
請求項７に記載の装置。
【請求項９】
前記フィードフォワード回路が、
前記第２の高域通過フィルタに動作可能に結合されたプログラム可能位相回路をさらに備える、
請求項７または請求項８に記載の装置。
【請求項１０】
前記フィードフォワード回路が、
前記プログラム可能利得回路または前記プログラム可能位相回路に動作可能に結合されたアップ・コンバーターをさらに備える、
請求項１から請求項９のいずれか一項に記載の装置。
【請求項１１】
前記フィードフォワード回路の前記入力を前記送信ポートに動作可能に結合するように構成された方向性結合器をさらに備える、
請求項１から請求項１０のいずれか一項に記載の装置。
【請求項１２】
前記ダウン・コンバーターが、局部発振器入力を有し、前記ダウン・コンバーターが、前記局部発振器入力に印加された送信局部発振器信号に応答するように構成された、
請求項４に記載の装置。
【請求項１３】
前記アップ・コンバーターが、局部発振器入力を有し、前記アップ・コンバーターが、前記局部発振器入力に印加された送信局部発振器信号に応答するように構成された、
請求項１０に記載の装置。
【請求項１４】
前記フィードフォワード回路と前記受信ポートとに動作可能に結合された信号結合器をさらに備える、
請求項１から請求項１３のいずれか一項に記載の装置。
【請求項１５】
請求項１から請求項１４のいずれか一項に記載の前記信号分離装置と、
前記ハイブリッド接合モジュールの前記受信ポートに結合された第１の入力と、前記フィードフォワード回路の前記出力に動作可能に結合された打ち消し入力とを有する増幅器であって、前記増幅器が、前記ハイブリッド接合モジュールの前記受信ポートに関係する受信周波数帯から前記第２の送信周波数帯における信号を除去するために、使用時に、前記補償信号を印加するように構成された、増幅器と、
を備える、送受信機装置。
【請求項１６】
請求項８に従属する場合において、
前記プログラム可能利得回路に動作可能に結合された受信ベースバンド処理ユニットをさらに備える、
請求項１５に記載の装置。
【請求項１７】
前記受信ベースバンド処理ユニットが、利得設定値を計算し、前記利得設定値を前記プログラム可能利得回路に通信するように構成された、
請求項１６に記載の装置。
【請求項１８】
前記利得設定値は、受信された信号に関係する計算された信号品質指標に基づく、
請求項１７に記載の装置。
【請求項１９】
請求項９に従属する場合において、
前記プログラム可能位相回路に動作可能に結合された受信ベースバンド処理ユニットをさらに備える、
請求項１５に記載の装置。
【請求項２０】
前記受信ベースバンド処理ユニットが、位相設定値を計算し、前記位相設定値を前記プログラム可能位相回路に通信するように構成された、
請求項１９に記載の装置。
【請求項２１】
前記位相設定値が、受信された信号に関係する計算された信号品質指標に基づく、
請求項２０に記載の装置。
【請求項２２】
前記ハイブリッド接合モジュールの前記送信ポートに動作可能に結合された出力を有する電力増幅器をさらに備える、
請求項１５から請求項２１のいずれか一項に記載の装置。
【請求項２３】
請求項１５から請求項２２のいずれか一項に記載の前記送受信機装置を備える、通信装置。
【請求項２４】
前記送受信装置が、周波数分割二重化通信方式に従って動作するように構成された、
請求項２３に記載の装置。
【請求項２５】
ハイブリッド接合モジュールの送信ポートから前記ハイブリッド接合モジュールの受信ポートへの信号漏れを補償する方法であって、
前記送信ポートにおいて信号を受信することであって、前記信号が、第１の送信周波数帯における周波数成分と第２の送信周波数帯におけるさらなる周波数成分とを有する、ことと、
前記ハイブリッド接合モジュールが、前記第１の送信周波数帯に関して前記送信ポートから前記ハイブリッド接合モジュールの前記受信ポートを実質的に分離することと、
前記ハイブリッド接合モジュールが、前記第２の送信周波数帯に関して前記送信ポートから前記受信ポートを実質的に分離しないことと、
前記信号の一部を取り出し、前記第１の送信周波数帯における前記信号の前記一部の周波数成分を優先的に、前記第２の送信周波数帯における前記信号の前記一部の前記さらなる周波数成分をフィードフォワードすることと、
前記フィードフォワードで生き残った前記信号の前記一部を補償信号として前記出力することと、
を備える、方法。
【発明の詳細な説明】
【技術分野】
【０００１】
本発明は、例えばハイブリッド接合モジュールを備える種類の二重化装置に関する。本発明は、例えば二重化装置を備える種類の送受信装置にも関する。本発明は、さらに、信号漏れを補償する方法に関し、本方法は、例えば、ハイブリッド接合モジュールの送信ポートからハイブリッド接合モジュールの受信ポートへの信号漏れを補償する種類のものである。
【背景技術】
【０００２】
無線通信システムにおいて、そのようなシステムは、ネットワーク・インフラと、例えばポータブル通信デバイスであるユーザー機器とを備える。このような通信デバイスは、典型的には同じ１つまたは複数のアンテナを通して信号を受信および送信する。これは、入来信号が発信信号により圧倒されないように、デバイスが入来信号と発信信号とを分離することを可能にするために、何らかの形態の二重化方式が必要とされることを意味する。この点で、時分割二重化（ＴＤＤ：Ｔｉｍｅ−Ｄｉｖｉｓｉｏｎ  Ｄｕｐｌｅｘｉｎｇ）と周波数分割二重化（ＦＤＤ：Ｆｒｅｑｕｅｎｃｙ−Ｄｉｖｉｓｉｏｎ  Ｄｕｐｌｅｘｉｎｇ）との両方がよく知られた二重化方式である。
【０００３】
いわゆる４Ｇ、またはロング・ターム・エボリューション（ＬＴＥ：Ｌｏｎｇ  Ｔｅｒｍ  Ｅｖｏｌｕｔｉｏｎ）は、既存の２Ｇおよび３Ｇ通信システムの後継である。ＬＴＥ適合ネットワークのＴＤＤおよびＦＤＤの両方の派生規格が多くの国で既に運用状態にある。ラジオ・スペクトルの利用可能性に関係して、歴史的理由から、ＬＴＥ規格の３Ｇパートナーシップ・プロジェクト（３ＧＰＰ：３Ｇ  Ｐａｒｔｎｅｒｓｈｉｐ  Ｐｒｏｊｅｃｔ）Ｒｅｌ  １１に規定されたＬＴＥ規格に対して３８個のＬＴＥ動作周波数帯が存在し、そのうちの２６個がＦＤＤ動作を必要とする。
【０００４】
ＦＤＤラジオ動作において、異なる周波数にアップリンク送信のための搬送波と、ダウンリンク送信のための搬送波との２つの別々の搬送波が存在する。ダウンリンク送信とアップリンク送信との間の分離は、通常、ダイプレクシング・フィルタ（デュプレクサーまたはダイプレクサー）と呼ばれる送信／受信フィルタにより達成される。これらのフィルタは、典型的には、受信信号から送信信号を分離するために一方が受信周波数帯を中心とし、他方が送信周波数帯を中心とする２つの高選択性フィルタとして実装されることにより、送信信号が受信信号に干渉することを防ぐ。表面音響波（ＳＡＷ：Ｓｕｒｆａｃｅ  Ａｃｏｕｓｔｉｃ  Ｗａｖｅ）フィルタなどの音響共振器フィルタが、典型的には、二重化フィルタに必要とされる低挿入損と鋭いロール・オフとを提供するために使用される。これらは単体としては小さく安価だが、複数の周波数帯をサポートする通信デバイスは、サポートされる周波数帯当たり１つの二重化フィルタと、二重化フィルタがアンテナを共有することができるように、周波数帯間の選択のためのさらなるラジオ周波数（ＲＦ：Ｒａｄｉｏ  Ｆｒｅｑｕｅｎｃｙ）スイッチングとを必要とする。
【０００５】
さらに、これらのフィルタは、別の材料および製造工程を必要とするＳＡＷフィルタを構築するために使用される高Ｑ値共振器に起因して、ＣＭＯＳ回路と一体化されることができないので、これらのフィルタはチップ外に実装されなければならない。これは、単一の周波数帯で動作する単純なラジオ送受信機の場合は通常問題ない。しかし、現代のラジオ送受信機は通常、多帯域である。上述のように、ＬＴＥ規格は現在、２６のＦＤＤ周波数帯を指定する。指定された周波数帯のすべてをサポートすることは、サポートされる周波数帯当たり１つの二重化フィルタの必要性に起因して、ユーザー機器の製造業者に対して複数のフィルタを使用することを必要とする。独立したデュプレクサーのバンクは、上述の選択のためのスイッチングを提供する１つの知られたアプローチであり、バンクは、必要とされる動作周波数帯に基づいて、適切なデュプレクサーを選択する多重ＲＦスイッチを介してアンテナ、送信機、および受信機に接続される。このようなアプローチは、ユーザー機器の複雑さを高めるとともに、多帯域送受信機の全体の寸法を大きくし、コストを高める。このアプローチはまた性能上の不利益をもたらす可能性があり、例えば、ＲＦスイッチの導入は、複数の周波数帯がサポートされるときに信号電力損失をもたらす。
【０００６】
多くのデバイス製造業者は単純に、異なる組み合わせの動作周波数帯をサポートする異なる構成のデバイスを設計および製造することによりこの問題を回避する。従って、製造業者は、デバイスの各々が異なる周波数帯の結合を使用して異なるグループの区域において動作可能であるような種類のデバイスを提供する。従って、上述のフィルタの必要性をなくすことが「世界電話」の製造に対する障壁を取り除き、その利点は、モバイル電話通信産業に規模の経済を提供し、世界を跨ぐ旅行者のために不便さを軽減することが理解されることができる。
【０００７】
従って、固定された調整された二重化フィルタを、複数の、好ましくはすべての周波数帯をサポートすることができる柔軟性のあるデバイスで置き換えることができる解決策に対する非常に大きな市場の需要が存在する。
【０００８】
動的にデュプレクサーを補償するデュプレクサー・フィルタを調整することが可能であるが、所望の選択性および低電力損失を達成するために非常に高いＱファクターの共振器が必要とされるので、このようなアプローチは現在技術的に実用的でない。現在は、必要とされる小フィルタ寸法を達成するために、このような共振器は、それらの電気的な調整を小さな周波数範囲のみに制限するよく知られた二共振特性を有する音響共振器としてのみ実現可能である。
【０００９】
代替的な二重化の解決策は、電気平衡絶縁（ＥＢＩ：Ｅｌｅｃｔｒｉｃａｌ  Ｂａｌａｎｃｅ  Ｉｓｏｌａｔｉｏｎ）デュプレクサー、またはいわゆるハイブリッド接合またはハイブリッド回路の使用である。これは、伝送線において前進および逆進波方向を分離することができる４ポート・ネットワークである。ハイブリッド接合は、変圧器、導波路（「マジックＴ」）、またはマイクロストリップ（「方向性結合器」）を使用することを含むいくつかの手法で作られることができる。ハイブリッド接合は、現代の電子アナログ有線電話の場合のように能動回路を使用しても作られることができる。
【００１０】
ハイブリッド接合は、典型的には、第１の（送信）ポート、第２の（アンテナ）ポート、第３の（受信）ポートおよび第４の（平衡）ポートを備える。すべてのポートがマッチングされたインピーダンス負荷により終端された理想的なハイブリッド接合の動作において、送信ポートにおけるすべての電力入射がアンテナ・ポートと平衡ポートとの間で分割される一方で、ゼロの電力が受信ポートに現れる。同様に、アンテナ・ポートにおけるすべての電力入射が受信ポートと送信ポートとの間で分割される一方で、ゼロの電力が平衡ポートに現れる。動作のこの手法は、送信モードであるとき、および受信モードであるとき、３ｄＢのまたは半分の電力結合損失を示す理想的なハイブリッド接合に対応する。
【００１１】
広帯域ハイブリッドは、例えば、「Ａ  Ｍｕｌｔｉｂａｎｄ  ＲＦ  Ａｎｔｅｎｎａ  Ｄｕｐｌｅｘｅｒ  ｏｎ  ＣＭＯＳ：Ｄｅｓｉｇｎ  ａｎｄ  Ｐｅｒｆｏｒｍａｎｃｅ」（Ｍ．Ｍｉｋｈｅｍａｒ、Ｈ．Ｄａｒａｂｉ、およびＡ．Ａ．Ａｂｉｄｉ、ＩＥＥＥ  Ｊｏｕｒｎａｌ  ｏｆ  Ｓｏｌｉｄ−Ｓｔａｔｅ  Ｃｉｒｃｕｉｔｓ、ｖｏｌ．４８、２０６７〜２０７７ページ、２０１３）において説明されるように、変圧器、および単一変圧器回路を使用して作られることができる。
【００１２】
平衡ネットワークをともなう理論的なハイブリッド接合は、デュプレクサーとして使用されるとき、ハイブリッド接合の送信ポートに結合された送受信機・送信機チェーンの電力増幅器と、ハイブリッド接合の受信ポートに結合された送受信機・受信機チェーンの低ノイズ増幅器とを有する。電力増幅器により送信ポートに印加される送信パワーが、上述のようにアンテナ・ポートと平衡ポートとの間で分割され、低ノイズ増幅器が分離され、すなわち、アンテナ・ポートおよび平衡ポートにおける反射係数が大きさおよび位相において同一である限り、受信機チェーン内への送信信号の漏れがなく、反射係数は、それぞれ、アンテナ・ポートに結合されたインピーダンスと平衡ポートに結合されたインピーダンスとに依存する。
【発明の概要】
【発明が解決しようとする課題】
【００１３】
しかし、実際には、デュプレクサーとしての平衡ネットワークをともなうハイブリッド接合の使用は、いくつかの欠点を抱える。第１に、アンテナのインピーダンス、ひいては、アンテナ・ポートにおけるインピーダンスは、典型的には、時間領域と周波数領域との両方において変動を示す。アンテナのインピーダンスは、例えばアンテナ付近で動く物体に起因して、時間の経過にともなって変動する場合があり、その結果、これらの変化を考慮するために、平衡ポートにおけるインピーダンスをアンテナ・ポートにおけるインピーダンスに動的に適応させることが必要とされる。アンテナのインピーダンスはまた、典型的には、周波数に応じて変動するので、対象となる特定の周波数において平衡をとるために、平衡ポートにおけるインピーダンスがそれに応じて適応されなければならず、十分に幅の広いシステム帯域幅、例えばＬＴＥチャンネルに必要とされる２０ＭＨｚにわたって良好な平衡が達成可能でない場合がある。
【００１４】
第２に、他の結合機構は、ハイブリッド接合の送信ポートから受信ポートへの送信信号のいくらかの漏れをもたらす。従って、送信ポートからの受信ポートの分離は制限される。
【００１５】
デュプレクサーとしてのハイブリッド接合の使用に関係する上述の欠点にもかかわらず、上述の欠点を解消または少なくとも軽減する試みがなされている。例えば、「Ｏｐｔｉｍｕｍ  Ｓｉｎｇｌｅ  Ａｎｔｅｎｎａ  Ｆｕｌｌ  Ｄｕｐｌｅｘ  Ｕｓｉｎｇ  Ｈｙｂｒｉｄ  Ｊｕｎｃｔｉｏｎｓ」（Ｌａｕｇｈｌｉｎ、Ｂｅａｃｈ、ＭｏｒｒｉｓおよびＨａｉｎｅ、ＩＥＥＥ  Ｊｏｕｒｎａｌ  ｏｆ  Ｓｅｌｅｃｔｅｄ  Ａｒｅａｓ  Ｉｎ  Ｃｏｍｍｕｎｉｃａｔｉｏｎｓ、Ｖｏｌ．３２、Ｎｏ．９、２０１４年９月、１６５３〜１６６１ページ）は、周波数に応じて、および（離調近接効果が存在しない限り）最小１０ｄＢ程度である可能性のある反射損失に応じて大きく変動可能なインピーダンスをもつ任意のアンテナについて考察する。これは、様々な最終製品に内蔵されることが可能な、および場合によっては未知の長さの伝送線を通して接続されることが可能な送受信機回路に対する実用上の現実である。ハイブリッド接合のいわゆる電気平衡（ＥＢ：Ｅｌｅｃｔｒｉｃａｌ  Ｂａｌａｎｃｅ）が、ここまでに参照した文献において提案される。これは、ハイブリッド接合の送信ポートを受信ポートから分離するために提案されてきたいくつかの解決策のうちの１つである。
【００１６】
送信ポートから受信ポートへの帯域内送信信号の漏れを最小化するためのハイブリッド接合二重化設計における進歩はみられるが、それにもかかわらず技術的な課題が存在する。例えば、送信チェーン回路により、例えば、シンセサイザーおよび／または電力増幅器により生成されたが受信周波数帯に存在するノイズの成分は、依然として、ハイブリッド接合の送信ポートから受信ポートに漏れることが知られており、従って、送受信機の受信チェーン回路の受信帯に現れる。
【００１７】
米国特許出願公開第２００７／０２６４９４３号は、外部ＳＡＷフィルタの必要性をなくす目的をもつ異なるアプローチを対象としている。実際、この文献はハイブリッド接合の必要性を前提とせず、むしろこの文献は、ＳＡＷフィルタを使用することに対する代替例に関する。この点で、この文献は、所望の信号周波数成分とブロッカー信号周波数成分とを備える信号から、いわゆるブロッカー信号周波数成分をフィルタ処理する方法および装置に関する。提案される解決策は、受信機回路の低ノイズ増幅器（ＬＮＡ：Ｌｏｗ−Ｎｏｉｓｅ  Ａｍｐｌｉｆｉｅｒ）にわたって適用されるフィルタ構成を備える。回路は、ＬＮＡの入力に印加される信号の一部を分路し、フィルタ構成が、分路信号からブロッカー信号周波数成分を除去した後で、フィルタ処理された分路信号をＬＮＡにより出力された増幅された信号と結合する。この結合は、増幅されたブロッカー信号周波数成分と所望の信号周波数成分とを備えるＬＮＡにより出力された増幅された信号からの、ブロッカー信号周波数成分を含有するフィルタ処理された分路信号の減算をもたらして、受信機回路によるさらなる処理のために、増幅された所望の信号周波数成分を残す。しかし、「無ＳＡＷ受信機」は、異なる周波数帯に存在するブロッカー信号周波数成分と所望の信号周波数成分とに依存し、これは、送信チェーン回路により受信周波数帯に生成されて、次に受信帯に対象の周波数成分とともに現れるノイズの成分の、ハイブリッド接合の受信ポートへの漏れに関係して対面させられる課題とは異なる。この点で、これは、所望の信号と同じ周波数帯に存在する米国特許出願公開第２００７／０２６４９４３号のブロッカー信号に類似する。さらに、このフィルタ構成はＬＮＡにわたって適用され、平衡ネットワークをともなうハイブリッド接合が仮に使用されていれば既に除去されたはずの周波数成分を、フィルタ処理で除去することを試みる。
【課題を解決するための手段】
【００１８】
本発明の第１の態様によると、アンテナ・ポートと送信ポートと受信ポートと平衡ポートとを有するハイブリッド接合モジュールと、第１の送信周波数帯と第２の送信周波数帯とに関して応答するように構成されたフィードフォワード回路であって、ハイブリッド接合モジュールの送信ポートに動作可能に結合された入力と、出力とを有する、フィードフォワード回路とを備え、ハイブリッド接合モジュールが、第１の送信周波数帯に関して送信ポートから受信ポートを実質的に分離するように、および、第２の送信周波数帯に関して送信ポートから受信ポートを実質的に分離しないように構成され、フィードフォワード回路は、第１の送信帯における信号周波数よりも第２の送信帯における信号周波数がフィードフォワード回路を伝搬することを優先することにより、出力において補償信号を提供するように構成された、二重化装置が提供される。
【００１９】
本装置は、平衡ポートに動作可能に結合された信号分離制御回路をさらに備えてよい。
【００２０】
フィードフォワード回路は、送信周波数帯にわたるラジオ周波数フィルタ処理を提供するフィルタ構成を備えてよい。フィルタは、ラジオ周波数ノッチ・フィルタ処理を提供する変換フィルタであってよい。
【００２１】
フィードフォワード回路は、ラジオ周波数からベースバンド周波数にダウン・コンバートするためのダウン・コンバーターを備えてよい。
【００２２】
変換フィルタは、ダウン・コンバーターを備えてよい。変換フィルタは、第１の高域通過フィルタをさらに備えてよい。第１の高域通過フィルタは、受動的であってよい。
【００２３】
フィードフォワード回路は、第１の高域通過フィルタに動作可能に結合された第２の高域通過フィルタをさらに備えてよい。第２の高域通過フィルタは、能動的であってよい。
【００２４】
フィードフォワード回路は、第２の高域通過フィルタに動作可能に結合されたプログラム可能利得回路をさらに備えてよい。
【００２５】
フィードフォワード回路は、第２の高域通過フィルタに動作可能に結合されたプログラム可能位相回路をさらに備えてよい。
【００２６】
フィードフォワード回路は、プログラム可能利得回路またはプログラム可能位相回路に動作可能に結合されたアップ・コンバーターをさらに備えてよい。
【００２７】
本装置は、フィードフォワード回路の入力を送信ポートに動作可能に結合するように構成された方向性結合器をさらに備えてよい。
【００２８】
ダウン・コンバーターは、局部発振器入力を有してよく、ダウン・コンバーターは、局部発振器入力に印加される送信局部発振器信号に応答するように構成されてよい。
【００２９】
アップ・コンバーターは、局部発振器入力を有してよく、アップ・コンバーターは、局部発振器入力に印加される送信局部発振器信号に応答するように構成されてよい。
【００３０】
本装置は、フィードフォワード回路と受信ポートとに動作可能に結合された信号結合器をさらに備えてよい。
【００３１】
信号結合器は、低ノイズ増幅器であってよい。
【００３２】
本発明の第２の態様によると、本発明の第１の態様に関係してここまでに記載された信号分離装置と、ハイブリッド接合モジュールの受信ポートに結合された第１の入力と、フィードフォワード回路の出力に動作可能に結合された打ち消し入力とを有する増幅器とを備え、増幅器が、ハイブリッド接合モジュールの受信ポートに関係する受信周波数帯から第２の送信周波数帯における信号を除去するために、使用時に補償信号を印加するように構成された、送受信装置が提供される。
【００３３】
増幅器は、低ノイズ増幅器であってよい。
【００３４】
装置は、プログラム可能利得回路に動作可能に結合された受信ベースバンド処理ユニットをさらに備えてよい。
【００３５】
受信ベースバンド処理ユニットは、利得設定値を計算し、利得設定値をプログラム可能利得回路に通信するように構成されてよい。
【００３６】
利得設定値は、受信された信号に関係する計算された信号品質指標に基づいてよい。
【００３７】
計算された信号品質指標は、ベースバンド処理ユニットの受信された信号と関連付けられてよい。計算された信号品質指標は、信号対ノイズ比であってよい。
【００３８】
装置は、プログラム可能位相回路に動作可能に結合された受信ベースバンド処理ユニットをさらに備えてよい。
【００３９】
受信ベースバンド処理ユニットは、位相設定値を計算し、位相設定値をプログラム可能位相回路に通信するように構成されてよい。
【００４０】
位相設定値は、受信された信号に関係する計算された信号品質指標に基づいてよい。
【００４１】
装置は、ハイブリッド接合モジュールの送信ポートに動作可能に結合された出力を有する電力増幅器をさらに備えてよい。
【００４２】
本発明の第３の態様によると、本発明の第２の態様に関係してここまでに記載された送受信装置を備える通信装置が提供される。
【００４３】
送受信装置は、周波数分割二重化通信方式に従って動作するように構成されてよい。
【００４４】
本発明の第４の態様によると、ハイブリッド接合モジュールの送信ポートからハイブリッド接合モジュールの受信ポートへの信号漏れを補償する方法が提供され、本方法は、送信ポートにおいて信号を受信することであって、信号が、第１の送信周波数帯における周波数成分と第２の送信周波数帯におけるさらなる周波数成分とを有する、ことと、ハイブリッド接合モジュールが、第１の送信周波数帯に関して送信ポートからハイブリッド接合モジュールの受信ポートを実質的に分離することと、ハイブリッド接合モジュールが、第２の送信周波数帯に関して送信ポートから受信ポートを実質的に分離しないことと、信号の一部を取り出し、第１の送信周波数帯における信号の一部の周波数成分を優先的に、第２の送信周波数帯における信号の一部のさらなる周波数成分をフィードフォワードすることと、フィードフォワードで生き残った信号の一部を補償信号として出力することとを備える。
【００４５】
従って、ハイブリッド接合の送信ポートからハイブリッド接合の受信ポートに漏れる受信帯における周波数成分を備えるノイズ信号を効果的に補償する方法および装置を提供することができる。この点で、送信ポートに印加される送信に関係するノイズがハイブリッド接合の受信ポートに漏れる可能性のある場合であっても、受信ポートにおける受信周波数帯における漏れたノイズの存在は、例えば受信ポートの下流における、例えばＬＮＡにおけるノイズの除去により解消される。
【００４６】
本発明の少なくとも１つの実施形態が、添付図面を参照しながら例示としてのみ以下で説明される。
【図面の簡単な説明】
【００４７】
【図１】本発明の一実施形態を構成するユーザー機器ユニットの概略図である。
【図２】図１に示すユーザー機器ユニットにより使用され、本発明の別の実施形態を構成する送受信機装置の部分図の概略図である。
【図３】図２に示す送受信機装置の部分図の拡大図の概略図であり、図２に示す送受信装置の部分図をさらに詳細に示す。
【図４】図３に示すフィードフォワード・ユニットのさらに詳細な概略図である。
【図５】本発明のさらに別の一実施形態を構成する図３に示す装置のハイブリッド接合モジュールにより提供される制限された分離を補償する方法のフロー図である。
【図６】図５に示す方法とともに使用するためのパラメータを構成する方法のフロー図である。
【発明を実施するための形態】
【００４８】
以下の説明を通して、同一の参照符号は同様な部分を識別するために使用される。
【００４９】
図１を参照すると、ＬＴＥ通信システムにおいて動作するユーザー機器（ＵＥ：ｕｓｅｒ  ｅｑｕｉｐｍｅｎｔ）ユニット１００は処理リソース１０２を備え、処理リソース１０２は、この例において、セルラー通信端末のチップセットである。処理リソース１０２は、送信機チェーン１０４と受信機チェーン１０６とに結合される、送信機チェーン１０４と受信機チェーン１０６とは、二重化装置１０８に結合される。二重化装置１０８は、アンテナ１１０に結合される。
【００５０】
ＵＥユニット１００は揮発性メモリ、例えばＲＡＭ１１２と、不揮発性メモリ、例えばＲＯＭ１１４とをさらに保有し、各々が処理リソース１０２に結合される。処理リソース１０２は、マイクロホン１１６、スピーカー・ユニット１１８、キーパッド１２０、およびディスプレイ１２２にも結合される。当業者は、上述のＵＥユニット１００のアーキテクチャが他の要素を備えるが、そのような追加的な要素は、説明の簡潔さおよび明確さを保つために本明細書では説明されないことを理解するはずである。
【００５１】
図２を参照すると、送信機チェーン１０４は、とりわけ、二重化装置１０８の入力ポートまたはノードに動作可能に結合された電力増幅器（ＰＡ：Ｐｏｗｅｒ  Ａｍｐｌｉｆｉｅｒ）２０２を備え、受信機チェーン１０６は、とりわけ、二重化装置１０８の出力ポートまたはノードに動作可能に結合された低ノイズ増幅器（ＬＮＡ）２１４を備える。
【００５２】
図３に移ると、送信機チェーン１０４と受信機チェーン１０６とを備える送受信機において、図１に示す送信機チェーン１０４は、送信変調器２００と、以下「第１のアップ・コンバーター」２４８と呼ばれる第１のアップ・コンバーティング混合器と、電力増幅器２０２とを備える。送信変調器２００の出力は、第１のアップ・コンバーター２４８の入力に動作可能に結合される。第１のアップ・コンバーター２４８の出力は、電力増幅器２０２の入力に動作可能に結合される。この例において、送信変調器２００の出力は、同相（Ｉ）および直角位相（Ｑ）経路に分割される。しかし、当業者は、他の実装例において、送信変調器２００により出力される信号の形式が、送受信機において実装される所望の信号通信方式に適した任意の形式であってよいことを理解するであろう。従って、電力増幅器２０２は、設計上の好みに応じてシングル・エンドまたは平衡であってよい異なる段を備えることができる。
【００５３】
二重化装置１０８は、出力ノード２０６、入力ノード２０８、アンテナ・ノードまたはポート２１０、および平衡ノードまたはポート２１２を有するハイブリッド接合モジュール２０４を備える。本明細書において、ハイブリッド接合２０４に関連して使用されるとき、「入力ノード」および「出力ノード」という用語は、基準点であるハイブリッド接合２０４の観点から表現される。受信機チェーン１０６は、ＬＮＡ２１４と、以下「第１のダウン・コンバーター」２５６と呼ばれる第１のダウン・コンバート混合器と、ベースバンド処理ユニット２５８と、後続の処理段（図示されない）とを備える。受信機チェーン１０６の残部のコンポーネントはＬＴＥ規格に記載され、いずれにしても、当業者により容易に理解され、本明細書に記載される例において解説される発明の概念の理解には何の関係もないので、それらはさらに詳細には説明されない。
【００５４】
上述のように、ハイブリッド接合モジュール２０４の受信ノード２０６を構成する出力ノード２０６は、ＬＮＡ２１４の信号入力に結合される。ＬＮＡ２１４の出力は、第１のダウン・コンバーター２５６の入力に動作可能に結合され、第１のダウン・コンバーター２５６の出力は、ベースバンド処理ユニット２５８に動作可能に結合される。同様に、この例において、第１のダウン・コンバーター２５６の出力はＩおよびＱ経路に分割される。しかし、第１のアップ・コンバーター２４８に関係してここまでに述べられるように、当業者は、他の実装例において第１のダウン・コンバーター２５６により出力される信号の形式が実装上の要件に応じて異なってよいことを理解するであろう。
【００５５】
ハイブリッド接合モジュール２０４は、平衡ノード２１２に動作可能に結合された、説明の平易さおよび簡潔さのために調整可能インピーダンスとして描かれている信号分離制御回路２１６をさらに備える。しかし、当業者は、信号分離制御回路２１６が、実装上の好みに応じていくつかの手法のうちの任意のものにより実装されることが可能であることを理解するはずである、および単一の調節可能インピーダンスの例が、実装可能性に対する制限の指標とみなされてはならない。実際、インピーダンスが、受信ポート２０６が送信ポート２０８から十分に分離されたとみなされる平衡状態にハイブリッド接合モジュール２０４を置くために調節されることができる唯一のパラメータとは限らないことも理解されたい。例えば、信号分離制御回路２１６は、内容が参照により本明細書に組み込まれる国際特許出願ＰＣＴ／ＥＰ２０１５／０５２８００および／または欧州特許出願公開第２９０３１７０号に記載された分離技法を使用することができる。これらの文献に記載された解決策は、受信機チェーン１０６の受信帯においてハイブリッド接合モジュール２０４の受信側への漏れが発生したときにハイブリッド接合モジュール２０４の受信側から見て干渉の一形態を構成する、本明細書において「ＴＸブロッカー」信号、ｎＴＸと呼ばれる、アンテナ１１０を通した送信を意図した第１の送信周波数帯における送信信号周波数成分の受信ポート２０６への漏れの十分な緩和を提供するための、ハイブリッド接合モジュール２０４を制御する手法の例である。しかし、ノイズの態様が本明細書において論じられる送信機チェーン１０４において生成される第２の送信周波数帯におけるノイズｎＢＲＯＡＤは、送信ノード２０８から受信ノード２０６に漏れることをあまり効果的に防がれない。この制限に対処するために、二重化装置１０８がフィードフォワード回路２３０により補完される。フィードフォワード回路２３０の目的は、受信ポート２０６に漏れたノイズ信号ｎＢＲＯＡＤを打ち消すために使用されることができ、またＬＮＡ２１４に入るときに受信帯に現れる信号を、電力増幅器２０２の出力から生成することである。
【００５６】
フィードフォワード回路２３０は、結合器、例えば方向性結合器２１８により電力増幅器２０２の出力に動作可能に結合された入力２３２を備える。方向性結合器２１８は、信号取り出し部として機能する。フィードフォワード回路２３０の入力２３２はまた、以下「第２のダウン・コンバーター」２５０と呼ばれる第２のダウン・コンバート混合器の入力に結合され、第２のダウン・コンバーター２５０の出力は、制御入力２５３と、以下「第２のアップ・コンバーター」２５４と呼ばれる第２のアップ・コンバーティング混合器のそれぞれの入力に動作可能に結合された出力とを有する信号調整ユニット２５２に動作可能に結合される。この例において、第２のアップ・コンバーター２５４の出力は、フィードフォワード回路２３０の出力２５５に動作可能に結合され、出力２５５は、ＬＮＡ２１４の信号打ち消し入力に動作可能に結合される。第２のダウン・コンバーター２５０および第２のアップ・コンバーター２５４は、それぞれ、送信混合周波数ｆＴＸにおいて動作する同じ送信局部発振器２５７に動作可能に結合された局部発振器信号入力を有し、第１のアップ・コンバーター２４８もまた、送信局部発振器２５７に動作可能に結合された局部発振器入力を有する。同様に、第１のダウン・コンバーター２５６は、受信混合周波数ｆＲＸにおいて動作する受信局部発振器２５９に動作可能に結合された局部発振器入力を有する。
【００５７】
制御入力２５３は、利得制御信号Ｇと位相制御信号Фとを受信するために、ベースバンド処理ユニット２５８の制御装置ユニット２６０の出力に動作可能に結合され、制御装置ユニット２６０は、ノイズ信号ｎＢＲＯＡＤの緩和の有効性を判定するために使用することが可能なエラー信号、信号対ノイズ比（ＳＮＲ：ｓｉｇｎａｌ−ｔｏ−ｎｏｉｓｅ  ｒａｔｉｏ）、または任意の他の適切な尺度であってよい、受信信号品質の指標を提供する信号を提供するベースバンド処理ユニット２５８内において電源（図示されない）に動作可能に結合された入力を有する。この例において、ＳＮＲ信号はベースバンド処理ユニット２５８により提供される。
【００５８】
図４に移ると、信号調整ユニット２５２は、第２のダウン・コンバーター２５０のＩおよびＱ出力にそれぞれ動作可能に結合された入力を有する第１の高域通過フィルタ３１２を備える。この例において、第１の高域通過フィルタ３１２は、受動フィルタである。第２のダウン・コンバーター２５０と一緒に、第１の高域通過フィルタ３１２は変換フィルタとして機能し、変換フィルタのさらなる詳細は本明細書において後で説明される。しかし、当業者は、他の実装例が本明細書において説明される変換フィルタ構成の代替例として使用されてよいことを理解するであろう。
【００５９】
第１の高域通過フィルタ３１２のＩおよびＱ出力は、第２の高域通過フィルタ３１４のＩおよびＱ入力に動作可能に結合される。この例において、第２の高域通過フィルタ３１４は、増幅器、例えば、プログラム可能利得増幅器回路３０４のＩおよびＱ入力に動作可能に結合された出力を有する能動フィルタである。プログラム可能利得増幅器３０４は、信号調整ユニット２５２の制御入力２５３に動作可能に結合された利得制御入力３０８を有する。プログラム可能利得増幅器３０４のＩおよびＱ出力は、プログラム可能位相シフター回路３０６のＩおよびＱ入力に動作可能に結合され、プログラム可能位相シフター３０６は、信号調整ユニット２５２の制御入力２５３に動作可能に結合された位相制御入力３１０を有する。プログラム可能位相シフター３０６のＩおよびＱ出力は、第２のアップ・コンバーター２５４のＩおよびＱ入力に動作可能に結合される。
【００６０】
動作時（図５）、信号調整ユニット２５２が、制御装置ユニット２６０から利得および位相シフトのための設定値を取得（ステップ４００）し、プログラム可能利得増幅器３０４が、取得された利得設定値に従って利得を設定し、プログラム可能位相シフター３０６が、取得された位相シフト設定値に従って位相シフトを設定する。利得および位相シフト設定値の生成は、本明細書において図６に関して後で説明される。
【００６１】
ＬＮＡ２１４により印加される補償信号を生成するために、電力増幅器２０２により出力される信号の一部が方向性結合器２１８により取り出される（ステップ４０２）。この点で、電力増幅器２０２により出力される信号は、例えば、ＴＸブロッカー信号ｎＴＸ、および送信機チェーン１０４において、すなわち第１の送信周波数帯および第２の送信周波数帯において生成されるノイズｎＢＲＯＡＤの周波数成分といったいくつかの周波数成分を備える。
【００６２】
ハイブリッド接合モジュール２０４の制限ではあるが、典型的には、十分正確にアンテナのインピーダンス１１０をマッチングさせるための信号分離制御回路２１６を調整する機能に起因して、ハイブリッド接合モジュール２０４により提供される送信ポート２０８からの受信ポート２０６の分離は制限される。この点で、信号分離制御回路２１６は本質的に狭帯域であり、従って、必然的にＴＸブロッカー信号、すなわち送信帯における信号からの受信ポート２０６の分離に専用とされる。ハイブリッド接合モジュール２０４の受信ポート側の観点からは、受信機チェーン１０６の受信周波数帯の信号成分ｎＴＸの存在は望ましくない。上述の機能の結果として、ハイブリッド接合モジュール２０４は、送信ポート２０８から受信ポート２０６への、送信周波数帯における信号成分ｎＴＸ（ＴＸブロッカー信号）の漏れを許容可能レベルまで最小化することを適切に実施する。しかし、信号分離制御回路２１６の狭帯域動作の結果は、狭帯域の外部の周波数が無視されることであり、従って、ハイブリッド接合モジュール２０４が例えば受信機チェーン１０６の受信帯に存在する可能性のある広帯域信号をもたらす、送信経路における非線形性または送信混合周波数ｆＴＸを提供するシンセサイザーにおける位相ノイズの結果として送信機チェーン１０４において生成されるノイズｎＢＲＯＡＤの、送信ポート２０８から受信ポート２０６への漏れを軽減することに、より成功しにくい。
【００６３】
従って、ノイズｎＢＲＯＡＤの漏れの影響を軽減するために、電力増幅器２０２の出力の一部が、ＬＮＡ２１４と（この例において）協力してフィードフォワード回路２３０により処理するために取り出される。この点で、取り出された信号は第２のダウン・コンバーター２５０の入力に印加され、第２のダウン・コンバーター２５０は、取り出された信号をベースバンド周波数まで下げるように混合することに加えて、さらに、取り出された信号のＲＦにフィルタ処理を実施する（ステップ４０４）。この点で、フィードフォワード回路２３０は、第１の周波数帯における信号周波数成分に応答する。結合されたフィルタ処理とダウン・コンバージョンとが、第１の高域通過フィルタ３１２との第２のダウン・コンバーター２５０の連携動作により提供される変換フィルタ機能に起因して達成され、これは、この例において、単一の回路ブロック３０２として実装される。いくつかの実施形態において、第２のダウン・コンバーター２５０は、２５％デューティ・サイクル、または４位相、受動混合器として実装されてよい。しかし、当業者は、例えば代替的な多相受動混合器方式といった、同様の機能を達成するための他の実装例の使用が企図されることを理解するであろう。ＲＦにおける変換フィルタは、この例において、取り出された信号から、例えば送信される所望の信号、ＴＸブロッカー信号といった第１の送信周波数帯にわたる周波数成分を除去するのに対して、この第２の送信周波数帯におけるノイズｎＢＲＯＡＤのできる限り多くの減衰を避けるように設定されたノッチ・フィルタである。しかし、本明細書において説明される図４に示すフィードフォワード回路２３０の実装例により実施されるフィルタ処理は、取り出された信号をフィルタ処理するために必要とされるフィルタ処理性能を達成する一手法の一例にすぎない。この点で、ＩおよびＱダウン・コンバージョンは変換フィルタ処理を提供するが、このようなフィルタ処理の目的は、他のＲＦ技法を利用することにより効果的に果たされることができる。
【００６４】
フィルタ処理された取り出された信号は、第２の送信周波数帯におけるノイズｎＢＲＯＡＤの最小の犠牲のもとに、ＴＸブロッカー信号ｎＴＸの振幅をさらに低減するために、第２の高域通過フィルタ３１４によりさらにフィルタ処理される。
【００６５】
二重フィルタ処理された取り出された信号は、次に、プログラム可能利得増幅器３０４により増幅され（ステップ４０８）、次に、上述のように取得された利得設定値および位相シフト値に従って、それぞれプログラム可能位相シフター３０６により位相シフトされる（ステップ４０８）。この点で、フィードフォワード回路２３０のＩおよびＱ経路の間において、プログラム可能利得増幅器３０４により異なる量で利得が適用されることができることが理解されるべきである。同様に、位相シフトは、フィードフォワード回路２３０のＩおよびＱ経路の間において、プログラム可能位相シフター３０６により異なる量で適用されることができる。適用される位相シフトは、この例において、結果として得られる補償信号が１８０°で位相シフトされることが可能な位相をもつことにより、ＬＮＡ２１４内における結合の時点において効果的な信号成分の打ち消しを可能にするように、二重フィルタ処理された取り出された信号を調整することが意図される。この点で、（１８０°位相シフトの適用前の）適用される位相シフトは、フィードフォワード回路２３０を備える信号路とハイブリッド接合モジュール２０４を通る信号路との間における経路差を補償することが意図される。適用される利得は、この例においては、結果として得られる補償信号が、ＬＮＡ２１４内における結合の時点においてノイズｎＢＲＯＡＤの振幅に実質的に等しい振幅をもつように、二重フィルタ処理された取り出された信号を調整することも意図される。増幅および位相シフトの後、増幅されたおよび位相シフトされた信号が、第２のアップ・コンバーター２５４に印加され、第２のアップ・コンバーター２５４が、増幅されたおよび位相シフトされた信号をラジオ周波数に戻すようにアップ・コンバートする（ステップ４１０）。この段階において、ＴＸブロッカーｎＴＸの信号周波数成分が著しく減衰されるのに対し、ノイズｎＢＲＯＡＤの周波数成分はより少ない減衰を受けるので、補償信号として使用するために依然として存在し、補償信号は続いて、この例ではＬＮＡ２１４の打ち消し入力に印加される（ステップ４１２）。
【００６６】
ＬＮＡ２１４では、この例において、ＬＮＡ２１４が、補償信号に１８０°位相シフトを適用し、次に、増幅のために受信ポート２０６から受信された信号を位相シフトされた補償信号に結合することにより、ハイブリッド接合モジュール２０４により送信ポート２０８から受信ポート２０６に漏らされた受信機チェーン１０６の受信帯におけるノイズｎＢＲＯＡＤを減衰させる。
【００６７】
フィードフォワード回路２３０が、第１の送信周波数帯における信号周波数よりも第２の送信周波数帯における信号周波数がフィードフォワード回路２３０を伝搬することを優先することが理解されるべきである。この点で、第２の送信周波数帯における信号の周波数成分は、第１の送信周波数帯における信号の周波数成分より少ない減衰を受ける。
【００６８】
プログラム可能利得増幅器３０４およびプログラム可能位相シフター３０６は、補償信号を最適化するために、および従って、続いて受信機チェーン１０６の受信帯からのノイズｎＢＲＯＡＤの周波数成分の打ち消しを最大化するために、フィードフォワード回路２３０の振幅と位相との両方における伝達関数の最適化を可能にするために、フィードフォワード回路２３０に提供される。利得設定値および位相シフト値は、信号分離制御回路２１６、プログラム可能利得増幅器３０４、およびプログラム可能位相シフター３０６を設定することの効果の間における衝突を避けるために、信号分離制御回路２１６の設定とともに制御される。
【００６９】
この例において、利得設定値および位相シフト設定値は次の、温度、電源電圧、ＣＭＯＳ工程変動、およびアンテナのインピーダンスのうちの１つまたは複数に関連して、二重化装置１０８の事前の特性評価に基づいて、製造の工場較正段階中に決定される。事前の特性評価は、ハイブリッド接合モジュール２０４のアンテナ・ポート２１０において受信周波数帯における試験トーンを適用することと、利得設定値および位相設定値に対する調節に応答して、デジタル・ベースバンドにおけるＳＮＲを測定することと、それにより、測定されたＳＮＲ、温度、電圧、および工程変動に基づいて、ノイズｎＢＲＯＡＤの周波数成分の最適な最小化をサポートするようにフィードフォワード回路２３０を構成することができるように、利得設定および位相設定値の参照テーブルが生成されることを可能にすることにより達成されることが可能である。工場較正工程は、デフォルト利得設定値およびデフォルト位相シフト設定値の決定を含む。
【００７０】
この例において、「Ｌｏｗ−Ｎｏｉｓｅ  Ａｃｔｉｖｅ  Ｃａｎｃｅｌｌａｔｉｏｎ  ｏｆ  Ｔｒａｎｓｍｉｔｔｅｒ  Ｌｅａｋａｇｅ  ａｎｄ  Ｔｒａｎｓｍｉｔｔｅｒ  Ｎｏｉｓｅ  ｉｎ  Ｂｒｏａｄｂａｎｄ  Ｗｉｒｅｌｅｓｓ  Ｒｅｃｅｉｖｅｒｓ  ｆｏｒ  ＦＤＤ／Ｃｏ−Ｅｘｉｓｔｅｎｃｅ」（Ｚｈｏｕら、ＩＥＥＥ  Ｊｏｕｒｎａｌ  ｏｆ  Ｓｏｌｉｄ−Ｓｔａｔｅ  Ｃｉｒｃｕｉｔｓ、ｖｏｌ．４９、ｎｏ．１２、２０１４年１２月）において説明される種類のＬＮＡ２１４が使用され、ＺｈｏｕらのＬＮＡは、ポートに印加される外部信号が１８０°位相シフトも受けてからＬＮＡの信号入力に印加される信号と結合されるように、内部ノイズのための内部ノイズ消去回路に動作可能に結合されたポートを提供するための、ＬＮＡの既存の内部ノイズ消去能力の適応を備える。その結果、ＬＮＡ２１４は、適応されると、信号を受信ポート２０６からＬＮＡ２１４の信号入力において受信された信号と結合される前に、信号に電力増幅器２０２の出力の取り出された部分に対する１８０°位相シフトを適用することにより、ＬＮＡ２１４の（Ｚｈｏｕらの適応されたＬＮＡのポートに対応した）信号打ち消し入力において受信された信号を操作することが可能である。しかし、第１の信号の位相シフトと、位相シフトされた第１の信号と第２の信号との結合とが改善されることを達成するために、他の実装例が企図されることが理解されなければならない。例えば、ＬＮＡ２１４は、信号結合能力を簡単に、すなわち内部位相シフト能力なしで実装されることが可能であり、または、別の信号結合器がＬＮＡ２１４の信号入力の前に提供されてよく、信号結合器の出力は、ＬＮＡ２１４の信号入力に結合され、信号結合器のそれぞれの入力は、このような実装例において受信ポート２０６およびフィードフォワード回路２３０の出力に結合される。信号の結合を実装するための方法に応じて、１８０°位相シフトが次にＬＮＡ２１４以外の実体により提供されることができる。この点で、１８０°位相シフトは、電力増幅器２０２の出力を取り出す点からＬＮＡ２１４の入力までの間のフィードフォワード回路２３０を備える信号路における任意の点において導入されることができる。例えば、電力増幅器２０２の出力の取り出された部分に対する１８０°位相シフトが、位相シフター３０６において、または方向性結合器２１８において適切な変更をともなって適用されることができる。
【００７１】
図６を参照すると、最初のステップとして、送受信機の電源投入後に、プログラム可能利得増幅器３０４およびプログラム可能位相シフター３０６がそれぞれ、工場に対して決定されたデフォルト利得設定値および工場に対して決定されたデフォルト位相シフト値を使用して設定される（ステップ５００）。同様に、アンテナ調整器、信号分離制御回路２１６のパラメータが、デフォルト工場較正値に設定される。
【００７２】
ハイブリッド接合モジュール２０４の制御される動作の一部として、送信機チェーン１０４による信号送信が開始した後、ハイブリッド接合モジュール２０４の受信側に現れるＴＸブロッカー信号が、受信機チェーン１０６のベースバンド処理ユニット２５８により測定され（ステップ５０２）、送信ノード２０８から受信ノード２０６への受信帯におけるＴＸブロッカー信号の漏れを最小化するために、信号分離制御ユニット２１６の動作パラメータが調節される（ステップ５０４）。例えば、上述の２つの特許公報に記載されるように、受信帯内へのＴＸブロッカー信号の漏れを最小化することに関連したハイブリッド接合モジュール２０４の制御は知られているので、説明の明確さおよび簡潔さのために、この点におけるハイブリッド接合モジュール２０４の制御のさらなる詳細は、本明細書においてさらには説明されない。
【００７３】
ＴＸブロッカー信号を監視することに加えて、ベースバンド処理ユニット２５６により受信された信号のＳＮＲも、ベースバンド処理ユニット２５８を使用して監視され（ステップ５０６）、測定されたＳＮＲ値は、信号品質の尺度として制御装置ユニット２６０に通信される。ＳＮＲ値、並びに、いくつかの例において、ベースバンド処理ユニット２５８から受信された、温度および／または電源電圧および／または工程変動および／またはアンテナのインピーダンス・パラメータに基づいて、制御装置ユニット２６０は、プログラム可能利得増幅器３０４およびプログラム可能位相シフター３０６をそれぞれ設定（ステップ５０８）するために制御ユニット２６０により使用される更新された利得設定値および更新された位相シフト値を決定するために生成された参照テーブルを使用する。フィードフォワード回路２３０のプログラム可能利得増幅器３０４およびプログラム可能位相シフター３０６を設定する上述の方法は、フィードフォワード回路２３０がＬＮＡ２１４と協力して、送信機チェーン１０４において生成される漏れたノイズｎＢＲＯＡＤの存在の影響をできる限り多く軽減することができるように連続的に反復される。
【００７４】
ハイブリッド接合に関係して、当業者は、任意の適切な構築物が使用されてよいことを理解すべきである。例えば、上述の実施形態では変圧器が説明される。別の一実施形態において、直角位相ハイブリッド結合器が使用されるが、他の変形例、例えば、１８０°ハイブリッド結合器が使用されてよい。例えば導波路ハイブリッド接合といった、他の適切な種類のハイブリッド接合も使用されてよい。
【００７５】
当業者は、上述の実装例が付属の特許請求の範囲内と考えられる様々な実装例の例示にすぎないことを理解すべきである。
【００７６】
上述の実施形態の装置および方法は、説明される構造上のコンポーネントおよびユーザーとの対話に加えて、コンピュータ・システムに（特に、コンピュータ・ハードウェアに、またはコンピュータ・ソフトウェアに）、または特別に製造または適応された集積回路に実装されてよい。
【００７７】
上述の実施形態の方法は、コンピュータ・プログラムとして、または、コンピュータまたは他のプロセッサにおいて動作するときに上述の方法を実施するように構成されたコンピュータ・プログラムを搭載したコンピュータ・プログラム製品またはコンピュータ可読媒体として提供されてよい。
【００７８】
「コンピュータ可読媒体」という用語は、限定されないが、コンピュータまたはコンピュータ・システムにより直接的に読み取られ、およびアクセスされることが可能な任意の１つまたは複数の媒体を含む。媒体は、限定されないが、フロッピー・ディスク、ハード・ディスク記憶媒体、および磁気テープなどの磁気記憶媒体、光ディスクまたはＣＤ−ＲＯＭなどの光記憶媒体、ＲＡＭ、ＲＯＭ、およびフラッシュ・メモリを含むメモリなどの電気記憶媒体、および、磁気／光記憶媒体などの上述のもののハイブリッドおよび組み合わせを含んでよい。
【００７９】
本発明の特定の例がここまでに説明されているが、当業者は、多くの等価な変更および変形が可能であることを理解するであろう。従って、上に記載の本発明の例示的な実施形態は例示であり、限定ではないとみなされる。説明される実施形態に対する様々な変更が、本発明の趣旨および範囲から逸脱することなくなされてよい。
【図１】
2019519153.tif 000003
【図２】
2019519153.tif 000004
【図３】
2019519153.tif 000005
【図４】
2019519153.tif 000006
【図５】
2019519153.tif 000007
【図６】
2019519153.tif 000008
【国際調査報告】
2019519153.tif 000009
2019519153.tif 000010
2019519153.tif 000011